(57)【要約】【課題】遮蔽編組と外ケースとの導通を確実に取れるように改良を加えたコネクタ、あるいは、コンタクトの周りの空間（コンタクト周辺空間）と外部空間との間の短絡の防止性能を向上させたコネクタを提供する。【解決手段】。  コネクタ（プラグＰ）は、ケーブル中心導体１９に接続されるコンタクト（ピン２７）、筒状のピンインシュレータ４１、導電体からなり各部を収納するケース８１、相手方のレセプタクルとの連結手段（バレル91、カップリングナット101）などを備える。さらに、弾性を有する絶縁体からなるケーブルブッシング３１を備える。同ブッシング３１は、ケーブル絶縁層１７の外周に嵌合するとともに、その外周にはケーブルＣの遮蔽編組１３の素線１５が配置される。このブッシング３１の外面の素線１５は、コレットスリーブ７１のテーパ内周面７７に押さえられる。コレットスリーブ７１はケース８１と接するので、ケーブルＣの遮蔽編組１３からケース８１への導通を取ることができる。【選択図】図１
2015076163.tif 000002
【特許請求の範囲】
【請求項１】
中心導体、絶縁層、遮蔽編組及びシースが積層された電源ケーブル用のコネクタであって、
前記中心導体に接続されるコンタクトと、
該コンタクトを収容する内孔を有する筒状のインシュレータと、
前記シースを掴むシース掴み部と、
導電体からなり、各部を収納するケースと、
相手方のコネクタとの連結手段と、
を備え、
さらに、
弾性を有する絶縁体からなり、前記ケーブル絶縁層の外周に嵌合するとともに、それ自身の外周に前記遮蔽編組の素線が配置されるケーブルブッシングと、
該ブッシングの外周に配置された前記素線を押さえるとともに、前記ケースと導通する素線導通金具と、
を備えることを特徴とするコネクタ。
【請求項２】
前記ケーブルブッシングが、中央が径大で両端が径小の両テーパ外周面を有する樽状の形状をしており、
一方のテーパ外周面に前記遮蔽編組の素線が配置され、
他方のテーパ外周面が、前記インシュレータの内孔端部をシールするものであり、
前記素線導通金具が、前記一方のテーパ面の外周に嵌合するテーパ内周面を有し、
該テーパ内周面で前記ケーブルブッシングを前記インシュレータの内孔内に押し付けることにより、前記素線の押さえと前記内孔端部のシールを行うことを特徴とする請求項１記載のコネクタ。
【請求項３】
前記導線掴み部が、前記素線導通金具の一部に形成されており、
該素線導通金具がケーブル軸方向へ送られるか、又は、押圧されることにより、ケーブルシースの押さえが行われることを特徴とする請求項２記載のコネクタ。
【請求項４】
前記導線掴み部を兼ねる前記素線導通金具としてのコレットスリーブを備え、
該コレットスリーブが、
前記ケーブルシースの外周を掴む、すり割りが入った縮径可能なコレット部と、
該導線掴み部に接続された、前記テーパ内周面を有するスリーブ部と、
を有し、
さらに、前記コレットスリーブをケーブル軸方向に押すとともに、前記コレット部を外側から圧迫して内側に押すクランプ金具を備えることを特徴とする請求項３記載のコネクタ。
【発明の詳細な説明】
【技術分野】
【０００１】
本発明は、遮蔽編組（シールド）を有する電源ケーブル用のコネクタに関する。特には、遮蔽編組と外ケースとの導通を確実に取れるように改良を加えたコネクタに関する。また、コンタクトの周りの空間（コンタクト周辺空間）と外部空間との間の短絡の耐力を向上させたコネクタに関する。さらに、簡単な動作で、シース押さえ・遮蔽編組の素線固定・コンタクト周辺空間のシールを行えるように改良を加えたコネクタに関する。
【背景技術】
【０００２】
高電圧（例えば１ｋＶ以上）のケーブルでは、そのシース（保護外皮）も、人体などに害のある程度に帯電するおそれがあるので、シースを接地させるための遮蔽編組（シールド、金属細線の網など）を設けるのが一般的である（下記特許文献参照）。このような高圧ケーブルを電気消費機器に接続させるコネクタ（電源側をプラグ、機器側をレセプタクル又はアダプタという）では、プラグからレセプタクル又はアダプタを通じて機器に遮蔽編組の導通を確保しておく必要がある。高圧電源の供給を受ける機器は、必ずアースを取ってあるので、ケーブルの遮蔽編組にもアースが取れる。
【特許文献１】特開平８−７８０９８
【発明の開示】
【発明が解決しようとする課題】
【０００３】
本発明は、遮蔽編組と外ケースとの導通を確実に取れるように改良を加えたコネクタを提供することを目的とする。また、コンタクトの周りの空間（コンタクト周辺空間）と外部空間との間の短絡の防止性能を向上させたコネクタを提供することを目的とする。さらに、簡単な動作で、シース押さえ・遮蔽編組の素線固定・コンタクト周辺空間のシールを行えるように改良を加えたコネクタを提供することを目的とする。
【課題を解決するための手段】
【０００４】
上記目的を達成するための、本発明のコネクタは、  中心導体、絶縁層、遮蔽編組及びシースが積層された電源ケーブル用のコネクタであって、  前記中心導体に接続されるコンタクトと、  該コンタクトを収容する内孔を有する筒状のインシュレータと、  前記シースを掴むシース掴み部と、  導電体からなり、各部を収納するケースと、  相手方のコネクタとの連結手段と、  を備え、  さらに、  弾性を有する絶縁体からなり、前記ケーブル絶縁層の外周に嵌合するとともに、それ自身の外周に前記遮蔽編組の素線が配置されるケーブルブッシングと、  該ブッシングの外周に配置された前記素線を押さえるとともに、前記ケースと導通する素線導通金具と、  を備えることを特徴とする。
【０００５】
本発明のコネクタでは、弾性を有するケーブルブッシングの外周に素線を配置し（ほぐした遮蔽編組をあたかもブッシング外周面に被せるあるいは沿わせるような形にするなど）、その素線の外側を、ケースと導通する素線導通金具（実施形態ではコレットスリーブ７１）で素線を押さえるので、しっかりと、ケーブルの遮蔽編組からコネクタケースへの導通を取ることができる。なお、コネクタケースは、相手方のコネクタとの連結手段（カップリングなど）を通じて機器側と導通する。高圧電源の供給を受ける機器は、必ずアースを取ってあるので、ケーブルの遮蔽編組にもアースが取れる。
【０００６】
コンタクトは、オス−メス嵌合のもの（ピン−ソケット）などを用いることができ、コンタクトはオス側もメス側も含む意味である。「コンタクトを収容する内孔を有するインシュレータ」は、オス側・メス側両方のコンタクトの外側の絶縁を司るものを広く呼称するものである。なお、コネクタは、上述の「プラグ−レセプタクル」以外に、ケーブル同士を接続する場合の「プラグ−アダプタ」、「プラグ−フランジアダプタ」などを広く含む。「コネクタ」は、一対のコネクタ（例えばプラグとレセプタクル又はプラグとアダプタ）の組の意味でも、組の中の一方（例えばプラグ又はレセプタクル又はアダプタ）を呼ぶ意味でも用いられる。
【０００７】
上記コネクタにおいては、前記ケーブルブッシングが、中央が径大で両端が径小の両テーパ外周面を有する樽状の形状をしており、  一方のテーパ外周面に前記遮蔽編組の素線が配置され、  他方のテーパ外周面が、前記インシュレータの内孔端部をシールするものであり、  前記素線導通金具が、前記一方のテーパ面の外周に嵌合するテーパ内周面を有し、  該テーパ内周面で前記ケーブルブッシングを前記インシュレータの内孔内に押し付けることにより、前記素線の押さえと前記内孔端部のシールを行うことが好ましい。
【０００８】
「テーパ面」には、円弧状に湾曲した面も含まれる。「一方のテーパ外周面に前記遮蔽編組の素線が配置され」といっても、「他方のテーパ面」のシール作用を害しない範囲で、素線の先が少し他方のテーパ外周面にはみ出してもよい。
【０００９】
「シール」とは、次の二つの意味を含む。すなわち、一つ目は、インシュレータ内孔内に、外からゴミ・ホコリなどが入り込まないようにシールするという意味である。二つ目は、インシュレータ内孔空間と外部空間との間を絶縁材で仕切ることにより、空気を介した短絡、あるいは沿面放電を防止するという意味である。なお、本発明者らは、耐短絡電圧の向上の定量的効果を確認したが、その結果については後述する。
【００１０】
素線導通金具（実施形態・図ではコレットスリーブ７１）は、ケーブル軸方向へ送られる、あるいは、押圧されるなどされ、これにより、同金具のテーパ内周面がケーブルブッシングのテーパ外周面にかぶさるように押圧して、素線がしっかりと金具内周面と接触する。また、この押圧力により、ケーブルブッシング全体が軸方向に押されて、その他方のテーパ外周面の少なくとも端部が、インシュレータの内孔内に押し込まれる。これにより、一つのケーブルブッシングという部材への送り・押圧操作により、素線押さえとインシュレータ内孔シールの二つが行える。
【００１１】
上記コネクタにおいては、前記導線掴み部が、前記素線導通金具の一部に形成されており、  該素線導通金具がケーブル軸方向へ送られるか、又は、押圧されることにより、ケーブルシースの押さえが行われることが好ましい。
【００１２】
この場合、一つの部材である素線導通金具（実施形態ではコレットスリーブ７１）の送り又は押圧により、上述の「素線押さえ」及び「インシュレータ内孔シール」の二つに加えて、ケーブルシースの押さえ動作（合計三動作）を行える。
【００１３】
上記コネクタにおいては、  前記導線掴み部を兼ねる前記素線導通金具としてのコレットスリーブを備え、  該コレットスリーブが、  前記ケーブルシースの外周を掴む、すり割りが入った縮径可能なコレット部と、  該導線掴み部に接続された、前記テーパ内周面を有するスリーブ部と、を有し、  さらに、前記コレットスリーブをケーブル軸方向に押すとともに、前記コレット部を外側から圧迫して内側に押すクランプ金具を備えることができる。
【発明の効果】
【００１４】
本発明によれば、弾性を有するケーブルブッシングの外周に素線を配置して、その素線の外側を、ケースと導通する素線導通金具で押さえるので、しっかりと、ケーブルの遮蔽編組からコネクタケースへの導通を取ることができる。ケーブルブッシングをインシュレータ内孔内のシールにも用いれば、ゴミ・ホコリなどがコンタクトに付くことによるトラブル防止や、インシュレータ内孔空間と外部空間との間を絶縁材で仕切ることによる短絡防止性能向上を期待できる。一つの部材であるコレットスリーブの送り又は押圧により、「素線押さえ」や「インシュレータ内孔シール」、さらに「ケーブルシースの押さえ動作」も行えば、一つの操作で様々な動作をする扱いの簡単なコネクタを提供できる。
【発明を実施するための形態】
【００１５】
以下、本発明のコネクタの幾つかの実施形態を、図面を参照しながら詳細に説明する。
【図面の簡単な説明】
【００１６】
【図１】本発明の実施形態のコネクタ（プラグ）の側面断面図である。
【図２】図１のプラグＰに連結されるレセプタクル（遮蔽編組導通機構なし）の側面断面図である。
【図３】本発明における他の形態のコネクタ（アダプタ、遮蔽編組導通機構あり）の側面断面図である。
【図４】本発明におけるさらに他の形態のコネクタ（フランジアダプタ、遮蔽編組導通機構あり）の側面断面図である。
【符号の説明】
【００１７】
Ｐ・・・プラグ、Ｃ・・・ケーブル、Ｒ・・・レセプタクル
１１・・・シース、１３・・・遮蔽編組、１５・・・素線、１７・・・絶縁層、１９・・・中心導体、
２１・・・コンタクト、２３・・・圧着部、２５・・・嵌合部、２６・・・係止片、
２７・・・ピン（オス電極）
３１・・・ケーブルブッシング、３３・・・後側テーパ外周面（素線当て面）、
３５・・・前側テーパ外周面（シール面）、３７・・・ブッシング内孔
４１・・・ピンインシュレータ、４３・・・後端テーパ内周面、４５・・・後側ストレート内周面、４７・４７´・・・コンタクト嵌合部、４８・・・段部、４９・・・ピン基部収容内面、
５０・・・段部、５１・・・レセプタクルとの嵌合内周面、
５４・・・バレル嵌合部、
６１・・・クランプ金具、６２・・・外周面、６３・・・ノブ（回転操作部）、６５・・・テーパ内面、６６・・・オネジ部、６７・・・オネジ、
７１・・・コレットスリーブ（導線掴み部を兼ねる素線導通金具）、７２・・・後側外端縁、
７３・・・コレットチャック部（導線掴み部）、７４・・・中央部、７４ｂ・・・すり割り、７５・・・スリーブ部（素線導通金具）、７７・・・テーパ内周面、７９・・・前端面
８１・・・ケース（エンドベル）、８３・・・後側部、８４・・・メネジ、８５・・・段部、
９１・・・バレル（連結手段）、９２・・・セットスプリング、
９３・・・オネジ、９５・・・キー溝、
１０１・・・カップリングナット（連結手段）、１０３・・・内凸部、１０５・・・メネジ、
111・・・ガスケット
【００１８】
図１に示す実施形態のコネクタ（プラグＰ）を説明する。このプラグＰは、図の左に示されている電源ケーブルＣの先端に取り付けられ、図２に示すレセプタクルＲに連結され、該レセプタクルを介して電力使用機器に電力供給するためのものである。図１の説明においては、プラグＰがレセプタクルＲと連結する場合について述べるが、プラグＰは、図３、図４に示すアダプタＡ、フランジアダプタＡ´と連結することもできる。電源ケーブルＣは、外側から内側に向けて（図では左から右に示す）、シース１１・遮蔽編組１３・絶縁層１７・中心導体１９からなる。電源ケーブルＣの先端部は、各層が順次剥かれてプラグＰ内に収容されている。
電源ケーブルＣの、皮むきされた中心導体１９の先端部（図の右端部）には、コンタクト２１が装着されている。コンタクト２１は、中心導体１９に外面に圧着された圧着部２３や、ピンインシュレータ４１の内孔との嵌合部２５及び係止部２６、先端（図の右端）のオス電極（ピン２７）を有する。以下、ケーブルＣの入ってくる側（図の左側）を後側、その反対側のピン２７のある側（図の右側）を前側ともいう。
【００１９】
このプラグＰは、以下の各主要部品を備える。
ピンインシュレータ４１；コンタクト２１や電源ケーブルＣの先端部の外周を囲うものであり、筒状の絶縁体からなる。ピンインシュレータ４１の内孔には、後側から前側に向けて、後端テーパ内面４３、後側ストレート内面４５、コンタクト嵌合内面４７、ピン基部収容内面４９、レセプタクル嵌合内面５１が位置している。
【００２０】
後端テーパ内周面４３は、約２０度の角度で前側が径小に細くなるテーパ面であり、後述するケーブルブッシング３１の前側テーパ外周面３５が当接して、ピンインシュレータ４１内孔の後側のシールがなされる。後側ストレート内周面４５の内側には、ケーブル絶縁層１７の先端部やコンタクト２１の圧着部２３が収容される。この後側ストレート内周面４５の前側には、一段小径のコンタクト嵌合内周面４７がつながっている。同コンタクト嵌合内周面４７は、その前側に段部４８が形成されており、コンタクト２１の嵌合部２５が嵌合する。
【００２１】
レセプタクルとの嵌合内周面５１は、ピンインシュレータ４１の内孔中の最も前側の径大の内周面であって、後述するレセプタクルＲの連結部が嵌合する。レセプタクルとの嵌合内周面５１の後側端部には、段部５０が形成されている。同段部５０の前側には、ガスケット111が配置されている。このガスケット111の外面（小さいリップ部付き）は、レセプタクルとの嵌合内周面５１に押し当てられている。ガスケット111の内面のリップ部113は、コンタクトピン２７の外面に押し当てられている。このガスケット111によって、ピンインシュレータ４１内孔の前側のシールがなされる。
【００２２】
ピンインシュレータ４１の後側部５２の外周面はストレートな円筒面である。その前側は、やや径大のバレル嵌合部５４となっており、その外周には複数のキー部（スプライン）５６が軸方向に延びるように切られている。同キー部５６は、バレル９１の内面のキー溝９５と回動不能に嵌合している。また、ピンインシュレータ４１の外面とバレル９１内面の間には、セットスプリング（止め輪）９２が介在しており、両者は軸方向にも固定されている。
【００２３】
バレル９１；円筒形の部材であって、ピンインシュレータ４１の前側外面に嵌合している。バレル９１の内面には、前述のキー溝９５が切られている。バレル９１の外面には、後側のオネジ９３、前側のキー部９８が形成されている。後側のオネジ９３には、ケース８１の前側部内面のメネジ８２が螺合する。前側のキー部９８には、レセプタクルＲ（図２参照）の内面キー溝が軸方向摺動自在に係合する。
【００２４】
カップリングナット101；バレル９１の外側に軸方向摺動自在かつ回動自在に嵌合している。同カップリングナット101の前側内面にはメネジ105が切られており、このメネジ105は、レセプタクルＲ外面のオネジと螺合して、プラグＰとレセプタクルＲが連結される。また、カップリングナット101の内面中央部には内凸部103が形成されている。この内凸部103は、バレル９１の外凸部９６に当接し、カップリングナット101が前側に抜けないようになっている。
【００２５】
ケース８１は、ピンインシュレータ４１の後側外面や、ケーブルブッシング３１、コレットスリーブ７１の外面を覆っている。ケース８１の後側部８３の内面には、クランプ金具６１前側外面のオネジ６７と螺合するメネジ８４が切られている。同メネジ８４の前側には、段部８５が形成されており、同段部８５には、コレットスリーブ７１の前端面７９が当接する。ケース８１の前端部内面にはメネジ８２が切られており、前述のバレル９１外面のオネジ９３と螺合する。
【００２６】
以下、本発明のコネクタにおける主な改良点を構成している部材であるケーブルブッシング３１やコレットスリーブ７１、クランプ金具６１について説明する。
【００２７】
ケーブルブッシング３１は、シリコンゴム等の弾性絶縁材からなり、中央が径大で両端が径小の樽状の形状をしている。この、ブッシング３１は、前後のテーパ外周面３５、３３（傾斜角度約２０度）を有する。
【００２８】
後側のテーパ外周面３３は、前側になるにしたがって径大となるテーパ面であり、同面上には、ケーブルＣの遮蔽編組１３の解された素線１５が配置される（図の見やすさを考慮して、素線１５はケーブルブッシング３１の外周に寄り添う上下各１本の太い線で示してある）。具体的には、ケーブルＣのシース１１が皮むきされた後、遮蔽編組１３がある長さにケーブル絶縁層１７の外側に残される（さらにその前は切り捨てられる）。そのむき出しになった遮蔽編組１３が、前側（先）が円錐形に開くように拡げられている。この拡がった素線１５が、ケーブルブッシング３１の後側テーパ外周面３３の外側表面に、網を被せるように被せられている。この素線１５の外側は、コレットスリーブ７１の前側のスリーブ部（素線導通金具）７５によって押さえられる（詳細後述）。
【００２９】
ケーブルブッシング３１の前側のテーパ外周面３５は、前側になるにしたがって径小となるテーパ面である。そのテーパ角度は約２０度（ピンインシュレータ４１の後端テーパ内周面４３と同じ）である。同テーパ外周面３５の前側の約半分は、ピンインシュレータ４１の後端テーパ内周面４３に押し当てられてシール作用をする（詳細後述）。
【００３０】
ケーブルブッシング３１の中心部には、軸方向に延びる内孔３７が形成されている。同内孔３７は、ケーブル絶縁層１７の外側に嵌合している。コレットスリーブ７１の前側のスリーブ部（素線導通金具）７５によって、ケーブルブッシング３１が内側に押さえられる（詳細後述）と、ケーブルブッシング３１内孔３７がケーブルＣ絶縁層１７の外面に押し当てられ、同部がシールされる。
【００３１】
コレットスリーブ７１は、全体としては円筒状の金属製の部材であり、ケーブルブッシング３１の後側とケーブルＣシース１１の外側に被さっている。このコレットスリーブ７１は、本発明にいう「導線掴み部」（後側）と「素線導通金具」（前側）を兼ねる部材である。
【００３２】
コレットスリーブ７１の前側は、スリーブ部（素線導通金具）７５であって、その中心部には前側広がりのテーパ内周面７７を有するテーパ内孔が形成されている。このテーパ内周面７７は、コレットスリーブ７１全体がクランプ金具６１（図の左側）によって前側に押されると、ケーブルブッシング３１の後側テーパ外周面３３に向けて押され、その外周に配置された素線１５及びケーブルブッシング３１後側そのものを押圧する。
【００３３】
コレットスリーブ７１のスリーブ部７５の前側には、軸方向に直交する端面７９が形成されている。この端面７９は、コレットスリーブ７１全体がクランプ金具６１によって前側に押されると、ケース８１の内段部８５に当接する。これにより、ケーブル遮蔽編組１３→素線１５→コレットスリーブ７１のスリーブ部７５→ケース８１の導通が確保される。
【００３４】
コレットスリーブ７１のスリーブ部７５の後側（中央部７４）は、薄肉になっている。同中央部７４から後側には、すり割り７４ｂが円周方向の４箇所に切り込まれている。同スリーブ中央部７４の後側は、比較的厚肉のコレットチャック部７３（導線掴み部）となっている。同コレットチャック部７３の内孔には、複数の爪（ギザギザ）７３ｂが形成されており、ケーブルシース１１を掴み（把持固定し）やすくなっている。コレットチャック部７３の後端外側縁７２には、クランプ金具６１のテーパ内周面６５が当接する。この当接した状態でクランプ金具６１が前側に螺進することにより、コレットチャック部７３は内側に押されて変形し（すり割り７４ｂの根元あたりから後側が内側に傾く）、同チャック部７３内孔の爪７３ｂがケーブルシース１１の外側に押し当てられる。これにより、ケーブルＣがプラグＰ内で強固に固定される。
【００３５】
クランプ金具６１は、前側のオネジ部６６と、後側のノブ（回転操作部）６３とを有し、ケース８１の後側端部内孔を閉じる尾栓の役割を果たすものである。オネジ部６６の外周面にはオネジ６７が切られており、同オネジ６７はケース８１後端内孔のメネジ８４に螺合している。後側のノブ（回転操作部）６３は、比較的部厚いリング状をしており、その外周面６２にはローレット加工がなされており、摘まんで回し易くなっている（六角ナットのような形状でもよい）。ノブ６３の内孔には、前側広がりのテーパ内面６５が形成されている。同テーパ内面６５には、前述のコレットスリーブ７１の後側外端縁７２が当接する。
【００３６】
図１のプラグＰの組立方法と総合的な作用について説明する。
ピンインシュレータ４１の前側の外側には、バレル９１を被せて、セットスプリング９２で両者を固定する。バレル９１の外側には、カップリングナット101を後側から嵌める。そして、ケース８１をピンインシュレータ４１の外側に被せて、ケース先端のメネジ８２とバレル９１のオネジ９３とを螺合させる。
【００３７】
ケーブルＣについては、その先部分の積層構造を、段々になるように一層ずつ剥いて、シース１１の先に遮蔽編組１３・絶縁層１７・中心導体１９を露出させる。そして、シース１１の外側にクランプ金具６１とコレットスリーブ７１を嵌める。次いで、絶縁層１７の外側には、ケーブルブッシング３１を嵌め込む。そして、むき出しになった遮蔽編組１３の前側（先）を円錐形に開くように拡げて、拡がった素線１５を、ケーブルブッシング３１の後側テーパ外周面３３の外側表面に被せる。中心導体１９の先にはコンタクト２１を差込・圧着する。
【００３８】
この状態で、コンタクト２１をピンインシュレータ４１の内孔に差し込む。コンタクト２１の係止片２６は、ピンインシュレータ４１の内孔の嵌合部４７´を弾性変形して越えた後にスプリングバックし、同嵌合部４７´の先の段部に係止される。その後、コンタクト２１のピン２７の外側、ピンインシュレータ４１のレセプタクル嵌合内面５１の内側には、前側からガスケット１１１を嵌め込む。
【００３９】
ここで、後側端のクランプ金具６１を回しながら前側に螺進させると、クランプ金具６１のテーパ内面６５が、コレットスリーブ７１の後側外端縁７２を押す。これにより、まず、コレットスリーブ７１全体が前側に進み、ケーブルブッシング３１の前側テーパ外周面３５の前側部分が、ピンインシュレータ４１後端のテーパ内周面４３に押し込まれる。これにより、両周面の間がシールされる。
【００４０】
続いて、あるいは並行して、コレットスリーブ７１の前側テーパ内周面７７がケーブルブッシング３１の後側テーパ外周面３３と、その外周に配置された素線１５を押圧する。これにより、コレットスリーブ７１内周面７７と遮蔽編組素線１５とがしっかりと接触する。また、ケーブルブッシング３１の後側そのものも圧迫されて、同ブッシング３１の内孔３７が、しっかりとケーブル絶縁層１７の外側に密着する。
【００４１】
コレットスリーブ７１の前進の最終段階で、コレットスリーブ７１の前端面７９が、ケース８１の内孔段部８５に当接する。その後は、クランプ金具６１を前進させてもコレットスリーブ７１は前進できないので、コレットスリーブ７１のテーパ内周面７７によってケーブルブッシング３１にかけられる押圧力は増大しない。クランプ金具６１を前進させると、コレットスリーブ７１の後側のコレットチャック部７３が、クランプ金具６１の内孔テーパ内周面６５に内側に押されて、同チャック部７３が内側に変形し（すり割り７４ｂの根元あたりから後側が内側に傾く）、同チャック部７３内孔の爪７３ｂがケーブルシース１１の外側に押し当てられる。これにより、ケーブルＣがプラグＰ内で強固に固定される。
【００４２】
上記の遮蔽編組素線１５とコレットスリーブ７１のテーパ内周面７７のしっかりとした接触、及び、コレットスリーブ７１の前側端面７９とケース８１の内段部８５との接触により、ケーブルＣの遮蔽編組１３からプラグケース８１への導通を確実に取ることができる。なお、プラグケース８１は、相手方のコネクタ（レセプタクルＲ）との連結手段（カップリング）を通じて機器側と導通する。高圧電源の供給を受ける機器は、必ずアースを取ってあるので、ケーブルの遮蔽編組にもアースが取れる。これにより、安全性の高い給電システムを提供できる。
【００４３】
ピンインシュレータ４１の内孔の後側のシールは、上述のケーブルブッシング３１内外の二つのシール面接触によりなされる。一つ目（外側）は、ケーブルブッシング３１の前側テーパ外周面３５とピンインシュレータ４１の後側テーパ内周面４３との接触である。二つ目は、ケーブルブッシング３１内孔３７とケーブル絶縁層１７外面との接触である。これらのシール作用により、インシュレータ内孔内に、外からゴミ・ホコリなどが入り込むのを防止できるとともに、インシュレータ内孔空間と外部空間との間を絶縁材で仕切ることにより、空気を介した短絡、あるいは沿面放電を防止することができる。
【００４４】
この例のプラグＰにおける、ケーブルブッシング３１の耐短絡電圧の向上の試験結果について説明する。以下の条件で試験を行った。
ケーブルブッシング３１；材質はシリコンゴム（ケミテックテクニカ株式会社製）、寸法は長さ９．５ｍｍ、中央部径１０ｍｍ、端部径７ｍｍ、内孔径３．５ｍｍ
ケーブルＣ；日星電気株式会社製、シース径６．５ｍｍ、絶縁層径３．５ｍｍ、中心導体径１．５ｍｍ（１．２５ｓｑ）
ピンインシュレータ４１；材質は不飽和ポリエステル、外径１０ｍｍ、後側ストレート内周面４５の内径６ｍｍ、後側テーパ内周面４３のテーパ角度２０度
室温２５℃、湿度５０％、気圧1017ｈｐａ
その結果、ケーブルブッシング３１がある状態では耐短絡電圧が２０ｋＶになり、ケーブルブッシング３１がない状態よりも約２０％程度の耐短絡電圧の向上がみられた。
【００４５】
図１のプラグＰにおいては、クランプ金具６１のケース８１へのねじ込みという一つの操作により、コレットスリーブ７１のスリーブ部７５の前方送りと、コレットチャック部７３の内側縮径を行える。これにより、ケーブルブッシング３１の前方送り・押圧操作による、遮蔽編組の素線１５押さえとピンインシュレータ４１の内孔シールの二つと、さらにコレットチャック部７３の内側縮径によるケーブルシース１１の固定が行える。
【００４６】
図２は、図１のプラグＰに連結されるレセプタクルＲ（遮蔽編組処理のないもの）の側面図（上側は断面図）である。レセプタクルＲは、電気消費機器に取り付けられる。
このレセプタクルＲは、中心部のソケット（メス型コンタクト）221、その外側のソケットインシュレータ211、レセプタクルシェル201を主要な構成部品とする。ソケット221の図の左端部223内には、図１のプラグＰと連結された状態で、ピン２７が挿入されて電気がつながる。ソケットインシュレータ211の図の左端部213とシェル201の左端部203との間には、図１のプラグＰのピンインシュレータ４１・バレル９１の図の右端部が挿入される。シェル201の左端部203は、図１のバレル９１の外側に嵌合し、さらにその外側にカップリングナット101が螺合する。
【００４７】
図３は、本発明における他の形態のコネクタ（アダプタＡ、遮蔽編組処理のあるもの）の側面図（上側は断面図）である。アダプタＡは、図示しないケーブルを介して電気消費機器に取り付けられる。
このアダプタＡは、中心部のソケット（メス型コンタクト）321、その外側のソケットインシュレータ311、フランジアダプタシェル331を、図１のプラグＰと連結するための主要な構成部品とする。ソケット321の図の左端部323内には、図１のプラグＰと連結された状態で、ピン２７が挿入されて電気がつながる。ソケットインシュレータ311の図の左端部313とフランジアダプタシェル331の左端部333との間には、図１のプラグＰのピンインシュレータ４１・バレル９１の図の右端部が挿入される。フランジアダプタシェル331の左端部333は、図１のバレル９１の外側に嵌合し、さらにその外側にカップリングナット101が螺合する。図３のアダプタＡは、さらに遮蔽編組処理機構兼シール機構としての、ケーブルブッシング３１、コレットスリーブ７１、ケース８１及びクランプ金具６１を備える。それらの構成・作用は図１のプラグＰのものと同様である。
【００４８】
図４は、本発明におけるさらに他の形態のコネクタ（アダプタＡ´、遮蔽編組処理のあるもの）の側面図（上側は断面図）である。このアダプタＡ´は、図３に示されたフランジアダプタシェル331の代わりに、フランジを有しないアダプタシェル431を備える点で図３に示されたアダプタＡと異なる。他の点については図３に示されたアダプタＡと同様である。
【００４９】
上述の説明において、図１に示されたプラグＰはオス側のコンタクト２１及びピンインシュレータ４１を有し、図２に示されたレセプタクルＲや図３及び図４に示されたアダプタＡ、Ａ´はメス側のソケット221、321及びソケットインシュレータ211、311を有しているが、本発明はこれに限定されない。プラグＰがメス側のソケット及びソケットインシュレータを有し、レセプタクルＲやアダプタＡ、Ａ´がオス側のコンタクト及びピンインシュレータを有してもよい。
【図１】
2015076163.tif 000003
【図２】
2015076163.tif 000004
【図３】
2015076163.tif 000005
【図４】
2015076163.tif 000006
【手続補正書】
【提出日】平成26年11月18日(2014.11.18)
【手続補正１】
【補正対象書類名】特許請求の範囲
【補正対象項目名】全文
【補正方法】変更
【補正の内容】
【特許請求の範囲】
【請求項１】
中心導体、絶縁層、遮蔽編組及びシースが積層された電源ケーブル用のコネクタであって、
前記中心導体に接続されるコンタクトと、
該コンタクトを収容する内孔を有する筒状のインシュレータと、
前記シースを掴むシース掴み部と、
導電体からなり、各部を収納するケースと、
相手方のコネクタとの連結手段と、
を備え、
さらに、
弾性を有する絶縁体からなり、前記ケーブル絶縁層の外周に嵌合するとともに、それ自身の外周に前記遮蔽編組の素線が配置されるケーブルブッシングと、
該ブッシングの外周に配置された前記遮蔽編組の素線を押さえるとともに、前記ケースと導通する素線導通金具と、
を備え、
前記シース掴み部と前記素線導通金具を兼ねる部材を有し、該部材がケーブル軸方向へ送られるか、又は、押圧されることにより、前記遮蔽編組の素線の押さえ及び前記シースの押さえが行われることを特徴とするコネクタ。
【請求項２】
前記ケーブルブッシングが、中央が径大で両端が径小の両テーパ外周面を有する樽状の形状をしており、
一方のテーパ外周面に前記遮蔽編組の素線が配置され、
他方のテーパ外周面が、前記インシュレータの内孔端部をシールするものであり、
前記素線導通金具が、前記一方のテーパ面の外周に嵌合するテーパ内周面を有し、
該テーパ内周面で前記ケーブルブッシングを前記インシュレータの内孔内に押し付けることにより、前記素線の押さえと前記内孔端部のシールを行うことを特徴とする請求項１記載のコネクタ。
【請求項３】
前記シース掴み部が、前記素線導通金具の一部に形成されていることを特徴とする請求項１又は２記載のコネクタ。
【請求項４】
（現請求項４、用語統一）
前記シース掴み部と前記素線導通金具を兼ねる部材としてのコレットスリーブを備え、
該コレットスリーブが、
前記ケーブルシースの外周を掴む、すり割りが入った縮径可能なコレット部と、
該シース掴み部に接続された、前記テーパ内周面を有するスリーブ部と、
を有し、
さらに、前記コレットスリーブをケーブル軸方向に押すとともに、前記コレット部を外側から圧迫して内側に押すクランプ金具を備えることを特徴とする請求項２又は３記載のコネクタ。
【手続補正２】
【補正対象書類名】明細書
【補正対象項目名】０００４
【補正方法】変更
【補正の内容】
【０００４】
上記目的を達成するための、本発明のベースとなるコネクタは、  中心導体、絶縁層、遮蔽編組及びシースが積層された電源ケーブル用のコネクタであって、  前記中心導体に接続されるコンタクトと、  該コンタクトを収容する内孔を有する筒状のインシュレータと、  前記シースを掴むシース掴み部と、  導電体からなり、各部を収納するケースと、  相手方のコネクタとの連結手段と、  を備え、  さらに、  弾性を有する絶縁体からなり、前記ケーブル絶縁層の外周に嵌合するとともに、それ自身の外周に前記遮蔽編組の素線が配置されるケーブルブッシングと、  該ブッシングの外周に配置された前記素線を押さえるとともに、前記ケースと導通する素線導通金具と、  を備えることを特徴とする。
【手続補正３】
【補正対象書類名】明細書
【補正対象項目名】００１１
【補正方法】変更
【補正の内容】
【００１１】
上記コネクタにおいては、前記シース掴み部が、前記素線導通金具の一部に形成されており、  該素線導通金具がケーブル軸方向へ送られるか、又は、押圧されることにより、ケーブルシースの押さえが行われることが好ましい。
【手続補正４】
【補正対象書類名】明細書
【補正対象項目名】００１３
【補正方法】変更
【補正の内容】
【００１３】
上記コネクタにおいては、  前記シース掴み部を兼ねる前記素線導通金具としてのコレットスリーブを備え、  該コレットスリーブが、  前記ケーブルシースの外周を掴む、すり割りが入った縮径可能なコレット部と、  該シース掴み部に接続された、前記テーパ内周面を有するスリーブ部と、を有し、  さらに、前記コレットスリーブをケーブル軸方向に押すとともに、前記コレット部を外側から圧迫して内側に押すクランプ金具を備えることができる。
【手続補正５】
【補正対象書類名】明細書
【補正対象項目名】００１７
【補正方法】変更
【補正の内容】
【００１７】
Ｐ・・・プラグ、Ｃ・・・ケーブル、Ｒ・・・レセプタクル
１１・・・シース、１３・・・遮蔽編組、１５・・・素線、１７・・・絶縁層、
１９・・・中心導体、
２１・・・コンタクト、２３・・・圧着部、２５・・・嵌合部、２６・・・係止片、
２７・・・ピン（オス電極）
３１・・・ケーブルブッシング、３３・・・後側テーパ外周面（素線当て面）、
３５・・・前側テーパ外周面（シール面）、３７・・・ブッシング内孔
４１・・・ピンインシュレータ、４３・・・後端テーパ内周面、
４５・・・後側ストレート内周面、４７・４７´・・・コンタクト嵌合部、
４８・・・段部、４９・・・ピン基部収容内面、
５０・・・段部、５１・・・レセプタクルとの嵌合内周面、
５４・・・バレル嵌合部、
６１・・・クランプ金具、６２・・・外周面、６３・・・ノブ（回転操作部）、
６５・・・テーパ内面、６６・・・オネジ部、６７・・・オネジ、
７１・・・コレットスリーブ（シース掴み部を兼ねる素線導通金具）、
７２・・・後側外端縁、
７３・・・コレットチャック部（シース掴み部）、７４・・・中央部、
７４ｂ・・・すり割り、７５・・・スリーブ部（素線導通金具）、
７７・・・テーパ内周面、７９・・・前端面
８１・・・ケース（エンドベル）、８３・・・後側部、８４・・・メネジ、
８５・・・段部、
９１・・・バレル（連結手段）、９２・・・セットスプリング、
９３・・・オネジ、９５・・・キー溝、
１０１・・・カップリングナット（連結手段）、１０３・・・内凸部、
１０５・・・メネジ、
111・・・ガスケット
【手続補正６】
【補正対象書類名】明細書
【補正対象項目名】００３１
【補正方法】変更
【補正の内容】
【００３１】
コレットスリーブ７１は、全体としては円筒状の金属製の部材であり、ケーブルブッシング３１の後側とケーブルＣシース１１の外側に被さっている。このコレットスリーブ７１は、本発明にいう「シース掴み部」（後側）と「素線導通金具」（前側）を兼ねる部材である。
【手続補正７】
【補正対象書類名】明細書
【補正対象項目名】００３４
【補正方法】変更
【補正の内容】
【００３４】
コレットスリーブ７１のスリーブ部７５の後側（中央部７４）は、薄肉になっている。同中央部７４から後側には、すり割り７４ｂが円周方向の４箇所に切り込まれている。同スリーブ中央部７４の後側は、比較的厚肉のコレットチャック部７３（シース掴み部）となっている。同コレットチャック部７３の内孔には、複数の爪（ギザギザ）７３ｂが形成されており、ケーブルシース１１を掴み（把持固定し）やすくなっている。コレットチャック部７３の後端外側縁７２には、クランプ金具６１のテーパ内周面６５が当接する。この当接した状態でクランプ金具６１が前側に螺進することにより、コレットチャック部７３は内側に押されて変形し（すり割り７４ｂの根元あたりから後側が内側に傾く）、同チャック部７３内孔の爪７３ｂがケーブルシース１１の外側に押し当てられる。これにより、ケーブルＣがプラグＰ内で強固に固定される。